(57)【特許請求の範囲】
【請求項１】
遊技機に対応して設けられ、遊技機側から出力される遊技情報を特定可能な遊技信号を受信する受信手段と、
前記受信手段が受信した遊技信号により特定される遊技情報を特定し、遊技機単位で管理する管理手段と、
遊技機に対応して設けられ、対応する遊技機で遊技する遊技者のＩＤを受付ける受付処理を行う受付手段と、
前記受付処理、又は遊技者による入力操作に基づいて遊技者が遊技した遊技機を特定し、遊技者毎に対応付けて管理する遊技履歴管理手段と、
少なくとも前記受付処理が行われることを条件として、当該受付処理が行われた遊技機を報知台として集計開始判定を行う開始判定手段と、
前記集計開始判定が行われた場合に、その報知台で遊技する遊技者である報知対象者が当該報知台で遊技する前に遊技した遊技機を、前記遊技履歴管理手段により管理される管理情報に基づいて比較台として特定する比較台特定手段と、
前記報知台にて前記報知対象者が遊技した期間における遊技情報、及び前記報知対象者による入力操作の少なくとも一方により特定される前記比較台の遊技情報、或いは時刻に対する条件であって、当該報知対象者が遊技する際の条件に見合う集計終了条件を特定する終了条件特定手段と、
前記比較台における前記報知対象者による遊技の開始、又は終了した時点を開始時点として定める一方、前記比較台の遊技情報、或いは時刻により前記集計終了条件が成立した時点であって、当該報知を行う時点とは異なる時点を終了時点として定めた期間である比較期間を、前記比較台毎に特定する比較期間特定手段と、
前記比較期間における遊技情報を特定可能な比較情報を、前記比較台毎に特定する比較情報特定手段と、
前記比較情報特定手段により特定された比較情報を、前記報知対象者に対して報知する報知手段と、を備えたことを特徴とする遊技場用システム。
【請求項２】
前記比較期間特定手段は、前記比較台が複数ある場合に、前記比較期間の特定対象となる比較台以外の比較台において前記報知対象者が遊技した期間における遊技情報を、当該比較期間の特定対象となる比較台の遊技情報に加算した上で、その遊技情報により集計終了条件が成立するか否かを判定することで、当該比較期間の特定対象となる比較台の前記終了時点を特定することを特徴とする請求項１に記載した遊技場用システム。
【請求項３】
前記受信手段は、遊技機に対応して設けられ有価価値を対価として遊技者へと遊技媒体を貸出す貸出機から出力される前記対価となった有価価値の値である売上額を特定可能な売上信号を受信する一方、遊技機の遊技に応じて発生した大当たり数を特定可能な大当たり信号、遊技機の遊技に応じて獲得した遊技媒体数である獲得媒体数を特定可能な獲得信号、及び遊技機の遊技に応じた遊技者の収支を特定可能な収支信号のうち少なくとも１つの遊技信号を受信し、
前記管理手段は、前記売上信号により前記売上額を遊技機単位で管理する一方、大当たり数、前記獲得媒体数、又は遊技者の収支である遊技成果情報を遊技機単位で管理し、
前記終了条件特定手段は、前記報知対象者による遊技する際の予算額を特定可能な入力操作、及び前記集計開始判定以降に前記管理手段により特定された前記報知台の売上額のうち少なくとも一方により特定される予算範囲を前記集計終了条件として特定し、
前記比較期間特定手段は、前記開始時点から前記管理手段により特定された前記比較台の前記売上額が、前記予算範囲を逸脱した場合に前記集計終了条件が成立したとして前記比較期間を特定し、
前記比較情報特定手段は、前記比較期間において前記管理手段により特定された前記比較台の前記遊技成果情報を特定可能な遊技情報を、前記比較情報として前記比較台毎に特定することを特徴とする請求項１又は２に記載した遊技場用システム。
【請求項４】
前記受信手段は、遊技機の稼動時間を特定可能な稼動信号、遊技に使用された遊技媒体数であるアウトを特定可能なアウト信号、又は遊技機の遊技に応じて行われるゲーム数であるスタートを特定可能なスタート信号を受信する一方、遊技機の遊技に応じて発生した大当たり数を特定可能な大当たり信号、遊技機の遊技に応じて獲得した遊技媒体数である獲得媒体数を特定可能な獲得信号、及び遊技機の遊技に応じた遊技者の収支を特定可能な収支信号のうち少なくとも１つの遊技信号を受信し、
前記管理手段は、前記遊技信号により特定される前記稼動時間、前記アウト、又は前記スタートを遊技期間情報として遊技機単位で管理する一方、大当たり数、前記獲得媒体数、又は遊技者の収支である遊技成果情報を遊技機単位で管理し、
前記終了条件特定手段は、前記報知台の前記遊技期間情報、又は前記報知対象者による遊技する際の遊技期間を特定可能な入力操作により特定される前記遊技期間情報により特定される遊技期間範囲を前記集計終了条件として特定し、
前記比較期間特定手段は、前記開始時点から前記管理手段により特定された前記比較台の前記遊技期間情報が、前記遊技期間範囲を逸脱した場合に前記集計終了条件が成立したとして前記比較期間を特定し、
前記比較情報特定手段は、前記比較期間において前記管理手段により特定された前記比較台の前記遊技成果情報を特定可能な遊技情報を、前記比較情報として前記比較台毎に特定することを特徴とする請求項１又は２に記載した遊技場用システム。
【請求項５】
前記報知対象者が前記比較台を継続して遊技した場合における推定遊技終了時刻を特定する終了時刻推定手段を備え、
前記遊技履歴管理手段は、遊技者が遊技した遊技機に対応付けて当該遊技者による遊技開始時刻、及び遊技終了時刻の少なくとも一方である実遊技時刻を管理し、
前記終了時刻推定手段は、前記遊技履歴管理手段により管理される前記実遊技時刻から、前記比較台における前記比較期間の前記遊技期間情報により特定される遊技期間が経過した時刻を前記推定終了時刻として特定することを特徴とする請求項４に記載した遊技場用システム。
【請求項６】
前記報知対象者の電子メールアドレスを管理するアドレス管理手段を備え、
前記報知手段は、前記比較台特定手段により特定された全ての比較台について前記比較情報特定手段が比較情報を特定したこと、又は遊技場における閉店時刻になったことを送信条件として、前記比較情報を特定可能な電子メールを前記アドレス管理手段により管理される前記報知対象者の電子メールアドレスを送信先として送信することで、前記比較情報を前記報知対象者に対して報知することを特徴とする請求項１乃至５の何れかに記載した遊技場用システム。
【発明の詳細な説明】
【技術分野】
【０００１】
本発明は、遊技機を選定する際の指標を遊技者に提示することが可能な遊技場用システムに関する。
【背景技術】
【０００２】
遊技場において遊技中の遊技者は遊技機の状態が悪いと判断すると、他の遊技機を遊技対象とするべく遊技機を移動する所謂台移動を行う傾向がある。このような台移動を行う遊技者には台移動前に遊技していた遊技機で遊技した場合に、どのような遊技結果となったか、即ち、台移動したことが好結果に結びついたか否かを把握したいというニーズがある。このニーズに応えるべく特許文献１には、台移動前の遊技機の遊技情報と台移動後の遊技機の遊技情報とを比較可能に表示する構成が開示されている。
【先行技術文献】
【特許文献】
【０００３】
【特許文献１】特開２００２−１７２１９５号公報
【発明の概要】
【発明が解決しようとする課題】
【０００４】
さて、遊技者の中には、遊技する上で様々な遊技終了目処を定める遊技者がいる（例えば遊技終了時期を夕方６時までとして遊技する、又は予算を２万円までとして遊技する等）。このような遊技者に対して、特許文献１に記載されているように、単に台移動前の遊技機の遊技情報を表示するだけでは、台移動せずに遊技していても遊技終了したであろう遊技終了時点を超過した遊技情報、即ち、遊技者による台移動により生ずる遊技情報の変化の範疇を超えた遊技情報を遊技者に提供してしまう虞があった。
【０００５】
本発明は、上記した事情に鑑みてなされたものであり、その目的は、遊技者の遊技機選定が正しかったか否かを適切に把握可能な指標を提示することができる遊技場用システムを提供することにある。
【課題を解決するための手段】
【０００６】
請求項１に記載した発明は、遊技機に対応して設けられ、遊技機側から出力される遊技情報を特定可能な遊技信号を受信する受信手段と、前記受信手段が受信した遊技信号により特定される遊技情報を特定し、遊技機単位で管理する管理手段と、遊技機に対応して設けられ、対応する遊技機で遊技する遊技者のＩＤを受付ける受付処理を行う受付手段と、前記受付処理、又は遊技者による入力操作に基づいて遊技者が遊技した遊技機を特定し、遊技者毎に対応付けて管理する遊技履歴管理手段と、少なくとも前記受付処理が行われることを条件として、当該受付処理が行われた遊技機を報知台として集計開始判定を行う開始判定手段と、前記集計開始判定が行われた場合に、その報知台で遊技する遊技者である報知対象者が当該報知台で遊技する前に遊技した遊技機を、前記遊技履歴管理手段により管理される管理情報に基づいて比較台として特定する比較台特定手段と、前記報知台にて前記報知対象者が遊技した期間における遊技情報、及び前記報知対象者による入力操作の少なくとも一方により特定される前記比較台の遊技情報、或いは時刻に対する条件であって、当該報知対象者が遊技する際の条件に見合う集計終了条件を特定する終了条件特定手段と、前記比較台における前記報知対象者による遊技の開始、又は終了した時点を開始時点として定める一方、前記比較台の遊技情報、或いは時刻により前記集計終了条件が成立した時点であって、当該報知を行う時点とは異なる時点を終了時点として定めた期間である比較期間を、前記比較台毎に特定する比較期間特定手段と、前記比較期間における遊技情報を特定可能な比較情報を、前記比較台毎に特定する比較情報特定手段と、前記比較情報特定手段により特定された比較情報を、前記報知対象者に対して報知する報知手段と、を備えたところに特徴を有する。
【０００７】
請求項２に記載した発明は、前記比較期間特定手段は、前記比較台が複数ある場合に、前記比較期間の特定対象となる比較台以外の比較台において前記報知対象者が遊技した期間における遊技情報を、当該比較期間の特定対象となる比較台の遊技情報に加算した上で、その遊技情報により集計終了条件が成立するか否かを判定することで、当該比較期間の特定対象となる比較台の前記終了時点を特定するところに特徴を有する。
【０００８】
請求項３に記載した発明は、前記受信手段は、遊技機に対応して設けられ有価価値を対価として遊技者へと遊技媒体を貸出す貸出機から出力される前記対価となった有価価値の値である売上額を特定可能な売上信号を受信する一方、遊技機の遊技に応じて発生した大当たり数を特定可能な大当たり信号、遊技機の遊技に応じて獲得した遊技媒体数である獲得媒体数を特定可能な獲得信号、及び遊技機の遊技に応じた遊技者の収支を特定可能な収支信号のうち少なくとも１つの遊技信号を受信し、前記管理手段は、前記売上信号により前記売上額を遊技機単位で管理する一方、大当たり数、前記獲得媒体数、又は遊技者の収支である遊技成果情報を遊技機単位で管理し、前記終了条件特定手段は、前記報知対象者による遊技する際の予算額を特定可能な入力操作、及び前記集計開始判定以降に前記管理手段により特定された前記報知台の売上額のうち少なくとも一方により特定される予算範囲を前記集計終了条件として特定し、前記比較期間特定手段は、前記開始時点から前記管理手段により特定された前記比較台の前記売上額が、前記予算範囲を逸脱した場合に前記集計終了条件が成立したとして前記比較期間を特定し、前記比較情報特定手段は、前記比較期間において前記管理手段により特定された前記比較台の前記遊技成果情報を特定可能な遊技情報を、前記比較情報として前記比較台毎に特定するところに特徴を有する。
【０００９】
請求項４に記載した発明は、前記受信手段は、遊技機の稼動時間を特定可能な稼動信号、遊技に使用された遊技媒体数であるアウトを特定可能なアウト信号、又は遊技機の遊技に応じて行われるゲーム数であるスタートを特定可能なスタート信号を受信する一方、遊技機の遊技に応じて発生した大当たり数を特定可能な大当たり信号、遊技機の遊技に応じて獲得した遊技媒体数である獲得媒体数を特定可能な獲得信号、及び遊技機の遊技に応じた遊技者の収支を特定可能な収支信号のうち少なくとも１つの遊技信号を受信し、前記管理手段は、前記遊技信号により特定される前記稼動時間、前記アウト、又は前記スタートを遊技期間情報として遊技機単位で管理する一方、大当たり数、前記獲得媒体数、又は遊技者の収支である遊技成果情報を遊技機単位で管理し、前記終了条件特定手段は、前記報知台の前記遊技期間情報、又は前記報知対象者による遊技する際の遊技期間を特定可能な入力操作により特定される前記遊技期間情報により特定される遊技期間範囲を前記集計終了条件として特定し、前記比較期間特定手段は、前記開始時点から前記管理手段により特定された前記比較台の前記遊技期間情報が、前記遊技期間範囲を逸脱した場合に前記集計終了条件が成立したとして前記比較期間を特定し、前記比較情報特定手段は、前記比較期間において前記管理手段により特定された前記比較台の前記遊技成果情報を特定可能な遊技情報を、前記比較情報として前記比較台毎に特定するところに特徴を有する。
【００１０】
請求項５に記載した発明は、前記報知対象者が前記比較台を継続して遊技した場合における推定遊技終了時刻を特定する終了時刻推定手段を備え、前記遊技履歴管理手段は、遊技者が遊技した遊技機に対応付けて当該遊技者による遊技開始時刻、及び遊技終了時刻の少なくとも一方である実遊技時刻を管理し、前記終了時刻推定手段は、前記遊技履歴管理手段により管理される前記実遊技時刻から、前記比較台における前記比較期間の前記遊技期間情報により特定される遊技期間が経過した時刻を前記推定終了時刻として特定するところに特徴を有する。
【００１１】
請求項６に記載した発明は、前記報知対象者の電子メールアドレスを管理するアドレス管理手段を備え、前記報知手段は、前記比較台特定手段により特定された全ての比較台について前記比較情報特定手段が比較情報を特定したこと、又は遊技場における閉店時刻になったことを送信条件として、前記比較情報を特定可能な電子メールを前記アドレス管理手段により管理される前記報知対象者の電子メールアドレスを送信先として送信することで、前記比較情報を前記報知対象者に対して報知するところに特徴を有する。
【発明の効果】
【００１２】
請求項１に記載した発明によれば、報知対象となる比較台の遊技情報は遊技者の台移動後、又は比較台での遊技開始時から遊技者が実際に遊技する際の条件に見合うまでの遊技情報となり得るので、遊技者が比較台で継続して遊技した場合に、どのような遊技結果となったか、即ち、遊技者の台移動選択が正しかったか否かを把握可能な指標を提供することができる。この場合、遊技者が実際に遊技した遊技機の遊技結果が比較台である遊技機の遊技結果よりも良ければ、遊技者の遊技機選択が正しかったとして遊技結果の満足度を高めることになり、一方、遊技者が実際に遊技した遊技機の遊技結果が比較台である遊技機の遊技結果よりも悪ければ、自身の遊技機選択が悪いだけであり、遊技者が次回の遊技機選択時にて異なる視点で遊技機選択を行う等想定することができ、何れの場合であっても遊技者の次回の来店意欲が高められると期待することができる。
【００１３】
請求項２に記載した発明によれば、遊技者の中には、複数の遊技機を転々と台移動する遊技者もおり、このような遊技者が複数回の台移動を行っても、遊技者の遊技終了条件に見合った比較台の遊技情報を適切に特定することができる。
【００１４】
請求項３に記載した発明によれば、遊技者の中には、１回当たりの遊技に投資可能な予算を予め定めている遊技者も多数おり、実際の売上額又は操作入力にて予算額を特定するので、仮に実際に遊技した遊技機があまり投資を行わずに良好な遊技結果を得た場合であっても、比較台である遊技機で予算通り遊技した場合の遊技結果を把握することができる。
【００１５】
請求項４に記載した発明によれば、遊技者の中には、遊技時間の制約がある遊技者や１回当たりの遊技に費やす遊技時間を予め定めている遊技者も多数おり、この場合に実際の遊技時間に対応し得る遊技期間情報により集計対象期間を定めるので、遊技者が比較台で遊技した場合の遊技結果をより遊技者の事情に合わせて特定することができる。
【００１６】
請求項５に記載した発明によれば、推定終了時刻により比較台で継続して遊技した場合における大凡の遊技終了時刻を特定することができ、遊技者が定めた遊技期間に見合う遊技情報であったか否かを把握することができる。
【００１７】
請求項６に記載した発明によれば、比較台である遊技機の全てが終了条件を成立させるまでには、遊技者が遊技終了時とのタイムラグが想定されるが、電子メールを送信することにより、遊技者が遊技場から退場しても比較台である遊技機の遊技結果を報知することができる。
【図面の簡単な説明】
【００１８】
【図１】本発明の一実施形態を示す全体構成図
【図２】各台計数機を示す図
【図３】設定情報を示す図
【図４】遊技情報を示す図
【図５】会員遊技履歴を示す図
【図６】会員個別履歴を示す図
【図７】会員個別情報（未確定）を示す図
【図８】会員個別情報（確定）を示す図
【図９】受付画面を示す図
【図１０】個別データ画面を示す図
【図１１】遊技機装置が行うカード受付関連処理を示すフローチャート
【図１２】遊技機装置が行う信号受信処理を示すフローチャート
【図１３】遊技機装置が行う発行関連処理を示すフローチャート
【図１４】管理装置が行う管理処理を示すフローチャート（その１）
【図１５】管理装置が行う管理処理を示すフローチャート（その２）
【発明を実施するための形態】
【００１９】
以下、本発明の一実施形態について図面を参照して説明する。図１は遊技場用システムの全体構成を概略的に示している。遊技場にはパチンコ遊技機（以下、遊技機と称する）１に対応して貸出機２及び各台計数機（台毎端末）３が設置されており、２台の遊技機１、２台の貸出機２及び２台の各台計数機３は中継装置４に接続されている。中継装置４はＬＡＮ５を介して例えば管理室に設置されている管理装置６に接続されている。管理装置６は、遊技機１側（遊技機１、貸出機２及び各台計数機３等）から出力された遊技信号を中継装置４を介して受信する。尚、図１では省略しているが、数１００台の遊技機１が管理装置６の管理対象となる。又、これ以降、貸出機２、各台計数機３及び中継装置４を総称して遊技機装置７（本発明でいう受信手段、受付手段、遊技履歴管理手段、開始判定手段、終了条件特定手段、比較期間特定手段、比較情報特定手段、報知手段、終了時刻推定手段）と称する。
【００２０】
遊技機１は、所謂デジパチとしての周知の構成を有し、払出された遊技玉を受ける上部玉受皿８、上部玉受皿８から溢れた玉又は釦操作により上部玉受皿８から導かれた玉を受ける下部玉受皿９、上部玉受皿８の玉を盤面に発射するためのハンドル１０等を備えて構成されている。又、遊技機１の盤面には、普図（普通図柄）入賞口１１、第１始動口１２、第２始動口１３、第１始動口１２又は第２始動口１３への入賞に応じて表示図柄が変動する液晶表示部１４、液晶表示部１４に表示された図柄が大当たり図柄である場合に発生する大当たり時に開放する大入賞口１５等が設けられている。
【００２１】
遊技機１は以下のように動作する。
（１）第１始動口１２又は第２始動口１３への入賞に応じて大当たり抽選を行い、抽選結果に基づいて所謂特別図柄（特図）による図柄変動を液晶表示部１４にて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
（２）大当たり抽選の当選確率（大当たり確率）は１／３００であり、大当たりのうち大当たり後に確変状態（確変）となる大当たりの割合は６６．６％（２／３）であり、平均継続数は１÷（１−（２／３））＝３回である。
【００２２】
（３）大当たりが発生すると対応するラウンド（Ｒ）に応じた分（１５Ｒ分）だけ大入賞口１５を開放する。尚、１Ｒの上限入賞数は１０個であり、上限開放時間は３０秒であり、上限入賞数又は上限開放時間の何れかが満たされた場合に１Ｒを終了する。
（４）確変中は大当たり確率が１／３０に向上すると共に、第２始動口１３への入賞率が向上する時短状態（時短）になる。尚、確変は次回の大当たりまで継続するので、大当たり後に通常遊技状態（通常）となる大当たり（通常大当たり）が発生するまで継続する。又、確変及び時短等の遊技者にとって通常よりも大当たりを発生させ易い状態を甘中とする。
【００２３】
貸出機２は、遊技者が貨幣を投入するための貨幣投入口１６、遊技データ等の各種情報を表示する表示機能及び遊技者からの入力を受付ける入力受付機能を有するタッチパネル式の液晶表示部１７、遊技者が会員カードを挿入するためのカード挿入口１８、遊技者がカード挿入口１８に挿入されている会員カードを排出させるために操作する返却釦（排出釦）１９、遊技者が再プレイ玉の払出しを受けるために操作する再プレイ釦２０等を備えて構成されている。
【００２４】
貸出機２は、所謂カード式であり、受付けた貨幣に対応するカードを内部的に発行し、遊技機１に設けられる図示しない貸出釦の押下に応じて、発行したカードに対応する貨幣（有価価値）を対価として玉を貸出すべく貸出信号を遊技機１に送信して遊技機１から玉を払出させることで貸出処理を実行する。尚、再プレイ玉も同様に遊技機１から払出される。尚、ノズルから玉が直接払出される構成でも良い。貸出機２は、ＣＰＵからなる制御部、ＣＦ（コンパクトフラッシュ（登録商標））、ＲＡＭ及びＲＯＭ等からなる記憶部、Ｉ／Ｆからなる送受信部等を備えており、各種信号や各種情報を中継装置４を介して送受信する。
【００２５】
遊技機１側からは次に示す遊技信号が出力される。
「アウト信号」：使用玉（使用媒体）を回収するアウトＢＯＸから出力される使用玉数（アウト、使用媒体数）を特定可能な信号である。回収（使用、打込）玉１０玉に対して１パルスが出力されるので、「アウト信号数×１０」をアウトとして特定する。尚、遊技機１から出力される信号であっても良い。
「セーフ信号」：遊技機１から出力される払出玉数（セーフ、払出媒体数）を特定可能な信号である。遊技機１での遊技（入賞）に応じた払出１０玉に対して１パルスが出力されるので、「セーフ信号数×１０」をセーフとして特定する。尚、補給装置から出力される補給信号をセーフ信号としても良い。
「スタート信号」：遊技機１から出力される図柄変動数（役物作動数、ゲーム数、スタート）を特定可能な信号である。第１始動口１２又は第２始動口１３への入賞により変動（作動）する液晶表示部１４（役物）における図柄変動（役物作動、スタート処理）１回につき１パルスが出力されるので、「スタート信号数×１」をスタートとして特定する。尚、第１始動口１２又は第２始動口１３への入賞に応じて出力される始動入賞信号を図柄変動と見做してスタート信号としても良い。
【００２６】
「大当たり信号」：遊技機１から出力される大当たりを特定可能な信号である。大当たり中にレベル出力される状態信号であるので、大当たり信号受信中を大当たり中として特定する。
「特別状態信号」：遊技機１から出力される特別状態を特定可能な信号である。大当たり確率が向上する確変中等の大当たりを通常状態よりも発生させ易い状態である特別状態中にレベル出力される状態信号（確変信号）であるので、特別状態信号受信中を特別状態中として特定する。尚、第１始動口１２又は第２始動口１３への入賞率が向上する時短中にレベル出力される状態信号（時短信号）であっても良い。又、大当たり信号や特別状態信号等の状態信号を受信していない期間を通常状態として特定する。
「売上信号」：貸出機２から出力される売上情報（売上玉数、売上額）を特定可能な信号である。遊技者に対する有価価値を対価とした貸出玉２５玉毎に１パルスが出力されるので、「売上信号数×２５」を売上玉数として特定し、「売上玉数×貸出単価（例えば４円）」を売上額として特定する。
【００２７】
各台計数機３は、図２に示すように、機器状態等を多色の点灯や点滅により表示する状態表示ＬＥＤ２１、遊技者が貯玉するために操作する貯玉釦２２、機器の操作説明、持玉数、持玉を払戻す際の残り払出数、機器の異常点検情報等を表示する液晶表示部２３、遊技者が持玉を特定可能な記録媒体であるＩＣ持玉券を発券するために操作する発行釦２４、遊技者がランプを呼出状態にするために操作する呼出釦２５、持玉を払戻すための玉払出ノズル２６、遊技者が持玉を払戻すために操作する払戻釦２７、リモコン受光部２８、遊技者がＩＣ持玉券を挿入するためのＩＣ持玉券挿入口２９、受皿部３０等を備えて構成されている。遊技者は、遊技機１の下部玉受皿９を開放させることで獲得玉を落下させて受皿部３０に受入れさせ、獲得玉を装置本体の下部に配置されている計数部（図示せず）にて計数させる。このように計数された獲得玉は実持玉として特定され、遊技者による払戻操作（払戻釦２７の押下）により玉払出ノズル２６から遊技機１の上部玉受皿８に払出すことで持玉を払戻す。各台計数機３は、ＣＰＵからなる制御部、ＣＦ、ＲＡＭ、ＲＯＭからなる記憶部、Ｉ／Ｆからなる送受信部を備えており、各種信号や各種情報を中継装置４を介して送受信する。
【００２８】
中継装置４は、ＣＰＵからなる制御部、ＣＦ、ＲＡＭ及びＲＯＭ等からなる記憶部、Ｉ／Ｆからなる送受信部等を備えており、各種信号や各種情報を送受信する（中継する）。
管理装置６は、ＣＰＵからなる制御部（本発明でいう管理手段、比較台特定手段、アドレス管理手段、報知手段）、ＨＤＤ、ＲＡＭ及びＲＯＭ等からなる記憶部、Ｉ／Ｆからなる送受信部、モニタ及びプリンタ等からなる出力部、キーボード及びマウス等からなる操作部等を備え、遊技機１側から出力された遊技信号を受信することで遊技データを当該遊技機１に対して個別に付与されている遊技機ＩＤ（台番）毎に集計して特定する機能を有している。
【００２９】
上記した遊技機１、貸出機２、各台計数機３、中継装置４及び管理装置６は以下に示す処理を行う。尚、上記したように貸出機２、各台計数機３及び中継装置４を遊技機装置７として総称することに応じて、貸出機２が行う処理、各台計数機３が行う処理及び中継装置４が行う処理を遊技機装置７が行う処理として説明する。
【００３０】
（１）管理装置６は、図３に示す設定情報を設定可能であり、設定情報を設定更新した場合には、その設定更新した設定情報を特定可能な設定信号を遊技機装置７に送信する。設定情報における各項目の意味は次の通りである。尚、管理装置６は、周知の会員ＤＢを管理しており、会員カードにより特定される会員ＩＤに対応付けて遊技者の電子メールアドレスを管理する。
【００３１】
「Ｔ間Ｓ設定値」：後述するＴ間Ｓに対する設定値であり、後述する報知台の遊技終了時点におけるＴ間Ｓから、このＴ間Ｓ設定値を差引いた値を共通Ｔ間Ｓとし、後述する比較台のアウトが各終了アウト以上となり、更にＴ間Ｓが共通Ｔ間Ｓ以上となった時点を、比較台で遊技した場合の遊技終了時点と判定する。即ち、比較台が報知台の遊技終了時点と同程度のＴ間Ｓとなったと判定するための許容値である。
「アウト設定値」：アウトに対する設定値であり、報知台の遊技開始時点から遊技終了時点までの差分のアウト（報知台個別アウト）から、このアウト設定値を差引いた値に比較台の終了レコードのアウトを加算し、更にその比較台以前の遊技台の個別アウトを加算した値を各終了アウト（この値以内が遊技期間範囲）とする。即ち、比較台が報知台の遊技終了時点と同程度の遊技時間となったと判定するための許容値である。
「基準アウト」：単位期間（例えば１分）に対応するアウトであり、アウトから遊技時間を特定する際に参照する設定値である。例えば１００００玉のアウトに対応する遊技時間は「１００００玉÷１００（基準アウト）＝１００（分→単位期間）」となる。
【００３２】
（２）遊技機装置７は、管理装置６から送信された設定信号を受信すると、自身が記憶する図３と同様の設定情報を更新する。又、遊技機装置７は、図４に示す遊技情報を記憶する記憶領域を有し、遊技機１側から出力された遊技信号を受信する毎に遊技情報を更新して管理する。図４は、各台（遊技機装置７）が記憶する遊技情報である。尚、Ｔ間Ｓ以外は何れも遊技場の営業開始時点からの累計である。
（３）遊技機装置７は、遊技者が会員カードを貸出機２のカード挿入口１８に挿入したことで会員カードを受付けると、会員ＩＤ及び図４に示した遊技情報を特定可能な受付通知を管理装置６に送信する。
【００３３】
（４）管理装置６は、遊技機装置７から送信された受付通知を受信すると、会員ＩＤに対応する図５に示す会員遊技履歴、図６に示す会員個別履歴、図７に示す会員個別情報を作成済みであるか否かを判定し、それらを作成済みでなければ作成し、図４に示した遊技情報を開始レコードに記憶して開始レコードを更新する。一方、それらを作成済みであり、後述する比較フラグを「０」に設定していればそのまま開始レコードを更新する。
【００３４】
図５に示した会員遊技履歴では、各ＮＯの１レコード目（開始レコード）が会員自身の遊技開始時点の遊技情報に対応し、２レコード目（終了レコード）が遊技終了（台移動）時点の遊技情報に対応し、各ＮＯの最終レコードが遊技場の営業終了時点の遊技情報に対応し、２重枠で囲ったレコード（成立レコード）が会員遊技者の遊技終了条件の成立時点の遊技情報に対応する。又、会員遊技者の遊技終了（遊技終了通知送信）時点で、遊技終了条件が成立していない場合には、その時点のレコード（仮レコード）を別途設ける。何れも対応する時点の対応台（報知台又は比較台）の図４に示した遊技情報である。
【００３５】
図６に示した会員個別履歴は、会員の実遊技履歴を示すものであり、各ＮＯの開始レコードの遊技情報と終了レコードの遊技情報との差引にて求める。図７に示した会員個別情報（未確定）は、会員である遊技者の遊技終了時点における台移動前に遊技した遊技機１である移動前遊技機にて仮に台移動せずに継続して遊技した場合を想定した遊技情報である仮想遊技情報を含む会員の遊技情報（仮想継続遊技情報）であり、遊技終了時点で終了条件が成立していれば成立レコードと開始レコードとの差引となる一方、遊技終了時点で終了条件が成立していなければ仮レコードと開始レコードとの差引となり、この場合、時刻を「未確定」とする（会員遊技者の遊技終了時点で報知台にて表示する遊技情報に対応）。
【００３６】
図８に示す会員個別情報（確定）は、全ての移動前遊技機において会員遊技者の終了条件が成立した場合の図７に相当し、成立レコードと開始レコードとの差引となる（会員遊技者に電子メールを送信する遊技情報に対応）。尚、図４に示した遊技情報及び図５乃至図８に示す各履歴及び各情報における各項目の意味は次の通りである。
【００３７】
「ＮＯ」：遊技機ＩＤであり、所謂台番である。
「時刻」：開始レコードでは会員自身の遊技開始時刻であり、終了レコードでは会員自身の遊技終了時刻である。仮レコードでは遊技終了通知送受信時刻であり、成立レコードでは遊技終了条件を満たした時刻であり、「最終」は最終レコードであることを示す。尚、何れも後述する対応する比較開始通知等の通知の受信時刻である。
【００３８】
「遊技期間」：会員が遊技した時間であり、各ＮＯの開始レコードの時刻と終了レコードの時刻との差引にて演算される時間である。
「終了時刻」：各ＮＯの開始レコードの時刻に各個別アウトと基準アウトにより特定した遊技時間を加算した推定終了時刻である。図７に示したＮＯ３であればアウト（６２００）÷基準アウト（１００）＝６２（分）を図５に示した開始レコード時刻（１４：２０）に加算することで、終了時刻（１５：２２）を特定する。尚、終了レコード時刻に比較台における会員自身が遊技を終了してからの個別アウトを加算することで特定しても良い。又、「未確定」は集計が終了していない（終了データ未受信で成立レコードがない）ことを示す。
【００３９】
「貸出玉」：売上が発生する売上玉と、持玉を払戻す払戻玉との合計である。
「売上額」：売上玉に対応した売上額である（売上玉×貸単価（４円にて演算））。
「アウト」：遊技機１への打込玉数(使用数)である。
「セーフ」：遊技機１からの払出玉数である。
「累計Ｓ」：図柄変動数（スタート）であり、累計Ｓは対象期間（開始時点から終了時点までの期間）における累計である。
【００４０】
「Ｔ間Ｓ」：直前の大当たりからの図柄変動数であり、所謂大当たり間スタートである。尚、「累計Ｓ」も含め通常状態の図柄変動のみが対象である。
「ＴＹ」：大当たり発生から通常状態に戻るまでの出玉数である。
「大当たり」：大当たり回数である。
「計数玉」：各台計数機３にて計数した計数玉数である。
「収支」：「遊技者の収支（計数玉−払戻玉）×交換単価（３円にて演算）−売上額」の演算式にて演算される。尚、払戻玉は「貸出玉−売上玉÷貸単価」の演算式にて演算される。
【００４１】
（５）遊技機装置７は、会員カードを受付けた状態で遊技者が釦操作を行うと、図９に示す受付画面を貸出機２の液晶表示部１７に表示し、他台比較を行うか否かの受付操作を受付ける。この場合、遊技者が希望すれば遊技者の予算の入力をも受付ける。遊技機装置７は、遊技者による他台比較を行う旨を受付けると、遊技者による他台比較を行う旨を受付けた貸出機２に対応する遊技機１を報知台とし、他台比較の表示対象とする報知フラグを「１」に設定し、その旨（遊技者から予算の入力を受付けていれば、その予算も含む。以下、予算を受付けたとして説明）を特定可能な開始通知を管理装置６に送信する。
【００４２】
（６）管理装置６は、遊技機装置７から送信された開始通知を受信すると、会員ＩＤの他台比較対象とする比較フラグを「１」に設定し、図５に示した会員遊技履歴に基づいて移動前の遊技機１を特定し、その移動前の遊技機１を比較台として各比較台について前総売上額、各終了売上額を特定し、比較開始通知を図５に示した会員遊技履歴にて成立レコード未特定の比較台に遊技機装置７に送信し、更に図５に示した会員遊技履歴の開始レコードを更新する。
【００４３】
各終了売上額を特定する方法としては、図５に示した会員遊技履歴を前提とし、報知台である１番台を遊技する際に入力された遊技者の予算が「２万円」である場合に比較台である２番台の各終了売上額の特定方法を例示すると、入力予算（２万）＋各開始時売上額（２万３千）−前総売上額（３千→図６にて２番台を遊技するまでの総売上額＝３番台の売上額、複数の遊技機１で遊技していればその総額）＝各終了売上額（４万）となる。
【００４４】
同様に、１番台の遊技終了時に特定する２番台の各終了アウトは、報知台個別アウト（１４２００（図６に示した会員個別履歴の１番台）−アウト設定値（１０００）＋各終了時アウト（１２５４０→図５の２番台の終了レコードのアウト）−前総アウト（９００→図６にて２番台を遊技するまでの総アウト＝３番台のアウト）＝各終了アウト（２４８４０）となる。又、共通終了Ｔ間Ｓは報知台のＴ間Ｓ（図６の１番台なら「１００」）からＴ間Ｓ設定値（０）を減算した値（１００）となる。
【００４５】
（７）遊技機装置７は、管理装置６から送信された比較開始通知を受信すると、別途、各終了売上額を記憶して図４に示した遊技情報の売上額が各終了売上額を超過しているか否かを判定し、各終了売上額を超過していれば現在の遊技情報を特定可能な情報を終了データとして管理装置６に送信する一方、各終了売上額を超過していなければ（未超過であれば）自身が比較台となり個別データを集計する必要がある旨を示す比較集計フラグを「１」に設定する。
【００４６】
（８）遊技機装置７は、比較集計フラグを「１」に設定している状態では売上額が各終了売上額を超過しているか否かを判定し、各終了売上額を超過していれば終了データを管理装置６に送信し、比較集計フラグを「０」に設定する。尚、共通終了Ｔ間Ｓと各終了アウトは報知台の遊技が終了しないと特定されないので、それまでは参照しない。
（９）遊技機装置７は、報知台の遊技者が遊技を終了する際に発行釦２４を押下すると、ＩＣ持玉券又は会員カードのような記録媒体を、実持玉を対応付けた上で排出する発行処理を行うが、会員カードを受付けていれば、現在の遊技情報を特定可能な遊技終了通知を管理装置６に送信する。
【００４７】
（１０）管理装置６は、遊技機装置７から送信された終了データを受信すると、その遊技情報を成立レコードに記憶することで図５に示した会員遊技履歴等を更新する一方、遊技機装置７から送信された遊技終了通知を受信すると、その遊技情報を終了レコードに記憶することで図５に示した会員遊技履歴等を更新する。その後、管理装置６は、比較フラグを「１」に設定しており、全ての比較台にて成立レコードに遊技情報が記憶されて特定できれば図７に示した会員個別情報を個別データとして報知台に送信する。
（１１）管理装置６は、成立レコード未特定の比較台が有れば、その比較台の各々について共通終了Ｔ間Ｓ、前総アウト、各終了アウトを特定し、共通終了Ｔ間Ｓと各終了アウトとを特定可能な比較終了通知を遊技機装置７に送信する。
【００４８】
（１２）管理装置６から比較終了通知を受信した比較台は、共通終了Ｔ間Ｓと各終了アウトとを別途記憶し、自身のＴ間Ｓとアウトが、各々共通終了Ｔ間Ｓと各終了アウト以上であるかを照合し、両者とも以上なら終了データを送信する一方、何れか一方でも以上でなければ、現在の遊技情報を特定可能な情報を未確定データとして管理装置６に送信する。尚、比較終了通知の受信により共通終了Ｔ間Ｓと各終了アウトとが特定できたので、以降はその照合と終了売上額との照合を行い、何れか一方でも達成すれば終了データを管理装置６に送信する。
【００４９】
（１３）管理装置６は、遊技機装置７から送信された未確定データを受信すると、図５に示した会員遊技履歴に仮レコードを作成し、その遊技情報を記憶することで更新する。又、仮レコード、成立レコードへの記憶更新に関わらず、全ての集計対象台（報知台及び比較台）の遊技情報が図７に示した会員個別情報にて特定できた場合には、図７に示した会員個別情報を特定可能な個別データを報知台に送信し、未確定があれば未だ未確定の集計対象台があるとして未確定フラグを「１」に設定する。
【００５０】
（１４）管理装置６から個別データを受信した報知台は、報知フラグを「０」に設定して図１０に示す個別データ画面を貸出機２の液晶表示部１７に表示する。図１０に示す個別データ画面では図７に示す会員情報のうち報知台の遊技情報を「実際の成績」として表示し、他の比較台の遊技情報を「他台を継続遊技した場合」として表示している。ここで、順位は「大当たり」回数により報知台及び比較台を対象として順位付けし、比較台についてはランキング形式で表示している。尚、他の計数玉や収支等の他の遊技情報を順位付けの対象としても良い。又、「終了時刻」は上記した推定終了時刻、即ち、図７に示す会員個別情報の「終了時刻」を示しており、「差収支」は各比較台と報知台との「収支」の差を示している。
【００５１】
（１５）管理装置６は、未確定フラグを「１」に設定している状態で遊技機装置７から送信された終了データを受信し、図８に示す会員個別情報のように全ての集計対象台の遊技情報を確定できた場合は、会員カードに対応する電子メールアドレスを送信アドレスとして図８の個別データにより、図８と同様の遊技情報が特定可能な電子メールを送信する。
（１６）管理装置６は、遊技終了した遊技者が台移動を行い、異なる遊技機装置７にて会員カードを受付けた場合も受付通知を受信することになるが、比較フラグを「１」に設定しているので、移動後の遊技機装置７を報知台とするべく報知通知を送信し、特定されていない比較台等を特定し、比較開始通知を送信する。この場合、仮レコードは削除又は初期化する。
（１７）管理装置６は、遊技場の営業が終了すると、各台から図４に示した遊技情報を特定可能な営業終了通知を受信し、最終レコードを更新する。尚、遊技機装置７及び管理装置６では、図５に示した会員遊技履歴、図６に示した会員個別履歴、図７に示した会員個別情報、各フラグ及び共通終了Ｔ間Ｓ等を会員ＩＤ毎に管理する必要がある。
【００５２】
次に、上記した構成の作用について、図１１乃至図１５を参照して説明する。図１１乃至図１３は遊技機装置７が本発明に関連して行うカード受付関連処理、信号受信処理、発行関連処理を示しており、図１４及び図１５は管理装置５が本発明に関連して行う管理処理を示している。以下、これらの処理を順次説明する。
【００５３】
（ａ）カード受付関連処理
遊技機装置７は、メイン処理からカード受付関連処理に移行し、カード受付関連処理を開始すると、会員カードを受付けたか否かを判定し（Ａ１）、管理装置６から報知通知を受信したか否かを判定し（Ａ２）、他台比較を行うか否かの操作を受付けたか否かを判定する（Ａ３）。
【００５４】
ここで、遊技機装置７は、遊技者が会員カードを貸出機２のカード挿入口１８に挿入し、会員カードを受付けたと判定すると（Ａ１：ＹＥＳ）、受付通知を管理装置６に送信し（Ａ４）、カード受付関連処理を終了してメイン処理に戻る。遊技機装置７が行うＡ１及びＡ４の処理は上記した（３）に相当する。又、遊技機装置７は、管理装置６から報知通知を受信したと判定すると（Ａ２：ＹＥＳ）、報知フラグを「１」に設定し（Ａ５）、カード受付関連処理を終了してメイン処理に戻る。又、遊技機装置７は、他台比較を行う操作を受付けたと判定すると（Ａ３：ＹＥＳ）、開始通知を管理装置６に送信し（Ａ６）、カード受付関連処理を終了してメイン処理に戻る。遊技機装置７が行うＡ２、Ａ３、Ａ６及びＡ５の処理は上記した（５）に相当する。
【００５５】
（ｂ）信号受信処理
遊技機装置７は、メイン処理から信号受信処理に移行し、信号受信処理を開始すると、管理装置６から比較開始通知又は比較終了通知の何れを受信したか否かを判定し（Ｂ１、Ｂ２）、比較集計フラグを「１」に設定しているか否かを判定する（Ｂ３）。
【００５６】
遊技機装置７は、管理装置６から比較開始通知を受信したと判定すると（Ｂ１：ＹＥＳ）、売上額と各終了売上額とを比較し（Ｂ４）、売上額が各終了売上額を超えていないと判定すると（Ｂ４：ＮＯ）、比較集計フラグを「１」に設定し（Ｂ５）、一方、売上額が各終了売上額を超えていると判定すると（Ｂ４：ＹＥＳ）、現在のデータを終了データとして管理装置６に送信し（Ｂ６）、信号受信処理を終了してメイン処理に戻る。遊技機装置７が行うＢ１、Ｂ４、Ｂ５及びＢ６の処理は上記した（７）に相当する。
【００５７】
遊技機装置７は、管理装置６から比較終了通知を受信したと判定すると（Ｂ２：ＹＥＳ）、Ｔ間Ｓと共通終了Ｔ間Ｓとを比較し（Ｂ７）、Ｔ間Ｓが共通終了Ｔ間Ｓ以上であると判定すると（Ｂ７：ＹＥＳ）、アウトと各終了アウトとを比較し（Ｂ８）、アウトが各終了アウト以上であると判定すると（Ｂ８：ＹＥＳ）、現在のデータを終了データとして管理装置６に送信し（Ｂ９）、比較集計フラグを「０」に設定し（Ｂ１０）、信号受信処理を終了してメイン処理に戻る。一方、遊技機装置７は、Ｔ間Ｓが共通終了Ｔ間Ｓ以上でない（未満である）と判定すると（Ｂ７：ＮＯ）、又はアウトが各終了アウト以上でない（未満である）と判定すると（Ｂ８：ＮＯ）、現在のデータを未確定データとして管理装置６に送信する（Ｂ１１）。遊技機装置７が行うＢ２、Ｂ７、Ｂ８及びＢ１１の処理は上記した（１２）に相当する。
【００５８】
遊技機装置７は、比較集計フラグを「１」に設定していると判定すると（Ｂ３：ＹＥＳ）、売上額と各終了売上額とを比較し（Ｂ１２）、売上額が各終了売上額を超えていると判定すると（Ｂ１２：ＹＥＳ）、この場合も、現在のデータを終了データとして管理装置６に送信し（Ｂ９）、比較集計フラグを「０」に設定し（Ｂ１０）、信号受信処理を終了してメイン処理に戻る。遊技機装置７が行うＢ３、Ｂ１２、Ｂ９及びＢ１０の処理は上記した（８）に相当する。
【００５９】
又、遊技機装置７は、売上額が終了売上額を超えていないと判定すると（Ｂ２１：ＮＯ）、Ｔ間Ｓが共通終了Ｔ間Ｓとを比較し（Ｂ１３）、Ｔ間Ｓが共通終了Ｔ間Ｓ以上であると判定すると（Ｂ１３：ＹＥＳ）、アウトと各終了アウトとを比較し（Ｂ１４）、アウトが各終了アウト以上であると判定すると（Ｂ１４：ＹＥＳ）、この場合も、現在のデータを終了データとして管理装置６に送信し（Ｂ９）、比較集計フラグを「０」に設定し（Ｂ１０）、信号受信処理を終了してメイン処理に戻る。尚、遊技機装置７は、Ｔ間Ｓが共通終了Ｔ間Ｓ以上でないと判定すると（Ｂ１３：ＮＯ）、又はアウトが各終了アウト以上でないと判定すると（Ｂ１４：ＮＯ）、直ちに信号受信処理を終了してメイン処理に戻る。
【００６０】
（ｃ）発行関連処理
遊技機装置７は、メイン処理から発行関連処理に移行し、発行関連処理を開始すると、遊技者が発行釦を押下したか否かを判定し（Ｃ１）、管理装置６から個別データを受信したか否かを判定する（Ｃ２）。
【００６１】
遊技機装置７は、遊技者が各台計数機３の発行釦２４を押下したと判定すると（Ｃ１：ＹＥＳ）、発行処理を行い（Ｃ３）、会員カードを受付中であるか否かを判定し（Ｃ４）、会員カードを受付中であると判定すると（Ｃ４：ＹＥＳ）、遊技終了通知を管理装置６に送信し（Ｃ５）、発行関連処理を終了してメイン処理に戻る。遊技機装置７が行うＣ１、Ｃ３乃至Ｃ５の処理は上記した（９）に相当する。又、遊技機装置７は、管理装置６から個別データを受信したと判定すると（Ｃ２：ＹＥＳ）、報知フラグを「０」に設定し（Ｃ６）、個別データを表示し（Ｃ７）、発行関連処理を終了してメイン処理に戻る。遊技機装置７が行うＣ２、Ｃ６及びＣ７の処理は上記した（１４）に相当する。
【００６２】
（ｄ）管理処理
管理装置６は、メイン処理から管理処理に移行し、管理処理を開始すると、遊技機装置７から受付通知、開始通知、遊技終了通知、終了データ又は未確定データの何れを受信したか否かを判定する（Ｄ１〜Ｄ５）。
【００６３】
管理装置６は、遊技機装置７から受付通知を受信したと判定すると（Ｄ１：ＹＥＳ）、会員ＩＤに対応する会員遊技履歴、会員個別履歴及び会員個別情報を作成済みである否かを判定し（Ｄ６）、会員ＩＤに対応する会員遊技履歴、会員個別履歴及び会員個別情報を作成済みでないと判定すると（Ｄ６：ＮＯ）、会員ＩＤに対応する会員遊技履歴、会員個別履歴及び会員個別情報を作成し（Ｄ７）、会員遊技履歴を更新する（Ｄ８）。一方、管理装置６は、会員ＩＤに対応する会員遊技履歴、会員個別履歴及び会員個別情報を作成済みであると判定すると（Ｄ６：ＹＥＳ）、会員ＩＤの比較フラグを「１」に設定しているか否かを判定し（Ｄ９）、会員ＩＤの比較フラグを「１」に設定していないと判定すると（Ｄ９：ＮＯ）、会員遊技履歴を更新する（Ｄ８）。管理装置６が行うＤ１、Ｄ６乃至Ｄ９の処理は上記した（４）に相当する。又、管理装置６は、会員ＩＤの比較フラグを「１」に設定していると判定すると（Ｄ９：ＹＥＳ）、報知通知を遊技機装置７に送信し（Ｄ１０）、会員ＩＤの未確定フラグを「０」に設定する（Ｄ１１）。
【００６４】
管理装置６は、遊技機装置７から開始通知を受信したと判定すると（Ｄ２：ＹＥＳ）、会員ＩＤの比較フラグを「１」に設定し（Ｄ１２）、図５に示した会員遊技履歴に基づいて移動前の遊技機１を特定し（Ｄ１３）、その移動前の遊技機１を比較台として各比較台について前総売上額を特定し（Ｄ１４）、入力予算と各開始時売上額との和から前総売上額を差引いた値を演算して各終了売上額を算出し（Ｄ１５）、比較開始通知を成立レコード未特定の比較台に送信し（Ｄ１６）、会員遊技履歴、会員個別履歴及び会員個別情報作を更新し（Ｄ１７）、管理処理を終了してメイン処理に戻る。管理装置６が行うＤ２、Ｄ１２乃至Ｄ１７の処理は上記した（６）に相当する。
【００６５】
管理装置６は、遊技機装置７から遊技終了通知を受信したと判定すると（Ｄ３：ＹＥＳ）、会員遊技履歴、会員個別履歴及び会員個別情報を更新し（Ｄ１８）、会員ＩＤの比較フラグを「０」に設定しているか否かを判定し（Ｄ１９）、会員ＩＤの比較フラグを「０」に設定していないと判定すると（Ｄ１９：ＮＯ）、全比較台にて成立レコードを特定済みであるか否かを判定する（Ｄ２０）。ここで、管理装置６は、全比較台にて成立レコードを特定済みであると判定すると（Ｄ２０：ＹＥＳ）、個別データを遊技機装置７に送信し、管理処理を終了してメイン処理に戻る。管理装置６が行うＤ３、Ｄ１８乃至Ｄ２１の処理は上記した（６）に相当する。
【００６６】
又、管理装置６は、全比較台にて成立レコードを特定済みでないと判定すると（Ｄ２０：ＮＯ）、報知台Ｔ間ＳからＴ間Ｓ設定値を差引いた値を演算して共通終了Ｔ間Ｓを算出し（Ｄ２２）、各比較台の前総アウトを特定し（Ｄ２３）、報知台個別アウトからアウト設定値を差引いた値に各終了時アウトを加えて前総アウトを差引いた値を演算して各終了アウトを算出し（Ｄ２４）、比較終了通知を成立レコード未特定の比較台に送信し（Ｄ２５）、管理処理を終了してメイン処理に戻る。管理装置６が行うＤ２０、Ｄ２２乃至Ｄ２５の処理は上記した（６）に相当する。
【００６７】
管理装置６は、遊技機装置７から終了データを受信したと判定すると（Ｄ４：ＹＥＳ）、会員遊技履歴、会員個別履歴及び会員個別情報を更新し（Ｄ２６）、会員ＩＤの未確定フラグを「０」に設定しているか否かを判定する（Ｄ２７）。管理装置６は、会員ＩＤの未確定フラグを「０」に設定していると判定すると（Ｄ２７：ＹＥＳ）、データを全て受信したか否かを判定し（Ｄ２８）、データを全て受信したと判定すると（Ｄ２８：ＹＥＳ）、個別データを遊技機装置７に送信し（Ｄ２９）、データを全て確定したか否かを判定し（Ｄ３０）、データを全て確定していないと判定すると（Ｄ３０：ＮＯ）、会員ＩＤの未確定フラグを「１」に設定し（Ｄ３１）、管理処理を終了してメイン処理に戻る。
【００６８】
又、管理装置６は、会員ＩＤの未確定フラグを「０」に設定していないと判定すると（Ｄ２７：ＮＯ）、データを全て確定したか否かを判定し（Ｄ３２）、データを全て確定したと判定すると（Ｄ３２：ＹＥＳ）、個別データを電子メールとして送信し（Ｄ３３）、会員ＩＤの未確定フラグを「０」に設定し（Ｄ３４）、管理処理を終了してメイン処理に戻る。管理装置６が行うＤ２７、Ｄ３２乃至Ｄ３４の処理は上記した（１５）に相当する。
【００６９】
又、管理装置６は、遊技機装置７から未確定データを受信したと判定すると（Ｄ５：ＹＥＳ）、仮レコードを作成し（Ｄ３５）、上記したＤ２６以降の処理を行う。管理装置６が行うＤ５、Ｄ３５、Ｄ２６乃至Ｄ３４の処理は上記した（１５）に相当する。
【００７０】
以上に説明したように本実施形態によれば、報知対象となる比較台の遊技情報は遊技者の台移動後又は比較台での遊技開始時から遊技者が実際に遊技する際の条件に見合うまでの遊技情報となり得るので、遊技者が比較台で継続して遊技した場合に、どのような遊技結果となったか、即ち、遊技者の台移動選択が正しかったか否かを把握可能な指標を提供することができる。この場合、遊技者が実際に遊技した遊技機１の遊技結果が比較台である遊技機１の遊技結果よりも良ければ、遊技者の遊技機選択が正しかったとして遊技結果の満足度を高めることになり、一方、遊技者が実際に遊技した遊技機１の遊技結果が比較台である遊技機１の遊技結果よりも悪ければ、自身の遊技機選択が悪いだけであり、遊技者が次回の遊技機選択時にて異なる視点で遊技機選択を行う等想定することができ、何れの場合であっても遊技者の次回の来店意欲が高められると期待することができる。
【００７１】
本発明は、上記した実施形態にのみ限定されるものではなく、以下のように変形又は拡張することができる。
比較台のデータを報知台にて随時表示しても良い。この場合、各終了売上額を超過する等、遊技終了条件を満たした場合に、その旨を報知しても良い。
終了条件をＴ間Ｓ及びアウト又は売上額としたが、累計Ｓや稼動時間（連続してアウトやスタート信号を受信した期間）等、他の遊技情報を基準としたり、何れか一方のみを基準としたりしても良い。勿論、どの遊技情報を終了条件とするのかを遊技者に選択させても良い。
【００７２】
ＩＤの特定方法としては会員カードに限らず、指紋等の生体認証や電子メールアドレスの入力等により特定しても良い。又、ＩＤを記録媒体により特定する場合、会員カードのようなカード状の記録媒体以外に、例えば携帯電話機等の記録媒体であっても良い。
ＩＤは遊技した遊技機全てに受付しなくとも、例えば報知台にてＩＤを受付け、その後、遊技者による遊技機選択操作によりＩＤと遊技機とを対応付けるようにしても良い。
発行処理を個別データの出力条件としたが、別途個別データ表示釦を設け、その操作に応じて遊技終了通知送信時と同様の処理を行えば、現時点における途中経過を把握することができる。勿論、遊技終了操作を出力条件としても良い。
【００７３】
発行処理実行後に個別データを表示すると、その表示を確認せずに遊技者が離席する虞があるので、発行操作後、発行処理を実行する前に個別データを表示し、発行された会員カード等の記録媒体を引抜くことで表示を終了したり、個別データに併せてその旨を表示したりしても良い。
終了条件を売上額とした場合に、対応する売上玉を使用し尽くした状態、即ち、次の売上が発生した場合として、売上額が終了売上額を超過した場合としたが、終了売上額と同額として、その後、非稼動となった場合とする等、どのように終了基準を定めても良い。勿論、各終了アウト等と同様に予算額に近似する値により予算範囲を定めても良い。又、予算額を入力操作のみにて特定したが、報知台における会員自身の売上額から特定しても良い。この場合、比較台が複数あれば前総売上額等と同様に報知台の売上額に加算しても良い。
【００７４】
開始時点に対応する開始レコードと終了時点に対応する終了レコードとの差分により比較期間における遊技情報を特定したが、別途比較期間における遊技情報を直接的に集計しても良い。勿論、各終了アウト等の遊技終了条件等の遊技情報も直接的又は間接的に特定する等、どのような方法で特定しても良い。尚、実施形態では、集計終了条件（入力予算）に比較台にて報知対象者の遊技前の遊技情報（各開始売上額）を加算し、更に比較台以外の比較台における遊技情報（前総売上額）を減算した値を予め特定し、比較台の累計売上額と比較することで、間接的に比較台以外の比較台における遊技情報（前総売上額）を比較期間における比較台の遊技情報（比較台の累計売上額から各開始時売上額を差引いた会員の遊技開始時からの売上額）に加算した遊技情報と、集計終了条件（入力予算）とを比較したが、例えば比較台における会員の遊技開始時からの売上額に前総売上額を加算した値と、入力予算とを比較する等、直接的に加算して比較する構成としても良い。
【００７５】
終了条件として入力操作を予算のみとしたが、目標とする出玉数や大当たり数等を入力操作の対象としても良い。勿論、遊技終了時刻等を入力しても良い。この場合、報知台個別アウトに代えて報知台の遊技開始時点や、会員遊技者の遊技終了時点を起点とし、その終了時刻までの期間（例えば３時間）に相当するアウトを基準アウトにより定めて（例えば１８０分×１００玉＝１８０００玉）、各終了アウトを特定すれば良い。又、アウトの代わりにスタートにより特定しても良い。勿論、推定終了時刻を特定する場合に、特定した推定終了時刻が入力された終了時刻を超過していた場合に、その旨を示す等し、入力された終了時刻を参照しても良い。
【００７６】
比較台の遊技情報として報知対象者の遊技分を含む仮想継続遊技情報を報知したが、報知対象者の遊技後のみの遊技情報を報知しても良い。
報知対象者への報知として、別途設けられるデータ表示機にて報知対象者のＩＤを受付することを条件として報知しても良い。
比較台のデータを全て確定した場合、即ち、終了条件が成立した場合に電子メールを送信したが、終了条件が成立しないまま最終レコードを特定した場合には、それ以降に遊技情報が更新することが無いので、そのまま電子メールを送信すれば良い。
【００７７】
各台計数機を示したが、各台計数機を備えないシステムに適用しても良い。この場合、計数玉の代わりに理論持玉（セーフ＋売上玉−アウト）にて獲得玉を特定すれば良い。
対応する遊技機は他にスロットマシンが例示できる。この場合、遊技媒体はメダルとなる。勿論、例示した以外のパチンコ遊技機でも良い。又、報知対象となる遊技情報はどのような遊技情報であっても良い。勿論、実施形態で示した数値は例示であり適宜変更しても良い。
各台計数機と貸出機とを一体化するなど、遊技機装置はどのように構成しても良い。又遊技機装置が行う情報処理の一部を管理装置にて行ったり、管理装置が行う情報処理の一部を遊技機装置にて行ったりしても良い。
【符号の説明】
【００７８】
図面中、１は遊技機、６は管理装置（管理手段、比較台特定手段、アドレス管理手段、報知手段）、７は遊技機装置（受信手段、受付手段、遊技履歴管理手段、開始判定手段、終了条件特定手段、比較期間特定手段、比較情報特定手段、報知手段、終了時刻推定手段）である。
【図１】
0005406060.tif 000002
【図２】
0005406060.tif 000003
【図３】
0005406060.tif 000004
【図４】
0005406060.tif 000005
【図５】
0005406060.tif 000006
【図６】
0005406060.tif 000007
【図７】
0005406060.tif 000008
【図８】
0005406060.tif 000009
【図９】
0005406060.tif 000010
【図１０】
0005406060.tif 000011
【図１１】
0005406060.tif 000012
【図１２】
0005406060.tif 000013
【図１３】
0005406060.tif 000014
【図１４】
0005406060.tif 000015
【図１５】
0005406060.tif 000016